【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
錠機構を設けた傘立の施開錠に用いられ、情報を無線通信するキーと、
前記キーとの無線通信を行うアンテナと、
前記アンテナで情報を送受信する送受信部と情報のデータを処理するデータ処理部と処理されたデータに基づき各部の制御を行う制御部とを設けた警告部と、
を具備することを特徴とする傘置忘れ防止装置。
【請求項２】
前記キーは、ＩＣチップを搭載し、
前記アンテナを設けたゲートと、
前記ゲート近傍に人が近づいたときに、無線通信された情報に基づき前記ゲート近傍の人が前記ＩＣチップを搭載した前記キーを保有していた場合、音声を発生させる音声発生回路と、
前記音声発生回路からの信号で所定のメッセージを発するための音声発生部と、
を具備することを特徴とする請求項１記載の傘置忘れ防止装置。
【請求項３】
前記ゲートまたは前記ゲートの近傍に人体を検出する人体センサを設置し、この人体センサが人体を検出したとき、この検出情報に基づき、前記ゲート近傍に人がいると認識して前記ゲートに設けられた前記アンテナと前記キーとの無線通信を行うことを特徴とする請求項１記載の傘置忘れ防止装置。
【請求項４】
前記傘立に錠機構が複数設けられるとき、各錠機構に表示部を具備し、
前記キーが無線通信した情報は前記複数の錠機構のうち前記キーが施開錠する一の錠機構を識別する識別情報を含み、前記制御部は前記アンテナで無線通信された識別情報に基づいて他の錠機構に設けられた表示部から識別し得る態様で前記一の錠機構に設けられた表示部を表示させることを特徴とする請求項１記載の傘置忘れ防止装置。
【手続補正２】
【補正対象書類名】明細書
【補正対象項目名】０００１
【補正方法】変更
【補正の内容】
【０００１】  本発明は、錠機構を設けた傘立に傘を置き忘れることを防止する傘置忘れ防止装置に関するものである。
【手続補正３】
【補正対象書類名】明細書
【補正対象項目名】０００６
【補正方法】変更
【補正の内容】
【０００６】  上記目的を達成するために、本発明に係る傘置忘れ防止装置は、錠機構を設けた傘立の施開錠に用いられ、情報を無線通信するキーと、前記キーとの無線通信を行うアンテナと、前記アンテナで情報を送受信する送受信部と情報のデータを処理するデータ処理部と処理されたデータに基づき各部の制御を行う制御部とを設けた警告部とを具備することを特徴とする。
【手続補正４】
【補正対象書類名】明細書
【補正対象項目名】０００７
【補正方法】変更
【補正の内容】
【０００７】  また、本発明に係る傘置忘れ防止装置は、前記キーは、ＩＣチップを搭載し、前記アンテナを設けたゲートと、前記ゲート近傍に人が近づいたときに、無線通信された情報に基づき前記ゲート近傍の人が前記ＩＣチップを搭載した前記キーを保有していた場合、音声を発生させる音声発生回路と、前記音声発生回路からの信号で所定のメッセージを発するための音声発生部と、を具備することを特徴とする請求項１に記載されたものである。
【手続補正５】
【補正対象書類名】明細書
【補正対象項目名】０００８
【補正方法】変更
【補正の内容】
【０００８】  また、本発明に係る傘置忘れ防止装置は、前記ゲートまたは前記ゲートの近傍に人体を検出する人体センサを設置し、この人体センサが人体を検出したとき、この検出情報に基づき、前記ゲート近傍に人がいると認識して前記ゲートに設けられた前記アンテナと前記キーとの無線通信を行うことを特徴とする請求項１に記載されたものである。
【手続補正６】
【補正対象書類名】明細書
【補正対象項目名】０００９
【補正方法】変更
【補正の内容】
【０００９】  また、本発明に係る傘置忘れ防止装置は、前記傘立に錠機構が複数設けられるとき、各錠機構に表示部を具備し、前記キーが無線通信した情報は前記複数の錠機構のうち前記キーが施開錠する一の錠機構を識別する識別情報を含み、前記制御部は前記アンテナで無線通信された識別情報に基づいて他の錠機構に設けられた表示部から識別し得る態様で前記一の錠機構に設けられた表示部を表示させることを特徴とする請求項１に記載されたものである。
【手続補正７】
【補正対象書類名】明細書
【補正対象項目名】００１０
【補正方法】変更
【補正の内容】
【００１０】  上記課題解決手段による作用は次の通りである。すなわち、百貨店、飲食店、会場、劇場や病院等の不特定多数の人が利用する錠機構を設けた傘立に傘を置いて錠機構を施錠し、ＩＣチップを搭載したキーを抜き、キーを保有して前記建物内に入り、所要を済ませて建物から出る場合に、傘立に傘を置いたことを忘れてＩＣチップを搭載したキーを保有した状態でゲートを通過するときに、ＩＣチップを搭載したキーとアンテナとの無線通信を行い、無線通信の情報結果に基づき通過した人がＩＣチップを搭載したキーを保有していた場合、警告部に設けられた制御部が音声を発生させる音声発生回路を制御して音声発生回路からの信号で音声発生部に所定のメッセージ、例えば「傘をお忘れです」等のメッセージを発声させるために、ゲートを通過中の人が傘を忘れたことに気づき、傘立に傘を取りに行くために傘の置忘れを防ぎ、ＩＣチップを搭載したキーの持ち去りを防ぎ、置き忘れられた傘の管理や後処理を無くすことが出来る。
【手続補正８】
【補正対象書類名】明細書
【補正対象項目名】００１２
【補正方法】変更
【補正の内容】
【００１２】  また、ＩＣチップを搭載したキーに相対した傘の置き場所を表示する表示部を傘立の錠機構に設けてあるために傘を忘れた人が自分の傘の置き場所を容易に見つけることが出来る。
【手続補正９】
【補正対象書類名】明細書
【補正対象項目名】００１４
【補正方法】変更
【補正の内容】
【００１４】  以下、本発明の実施の形態を、図１〜図３に基づいて説明する。
百貨店、飲食店、会場、劇場や病院等の施設を不特定多数の人が利用する場合、雨天時に持参した傘１を錠機構２が設けられた傘立３に置いて錠機構２を施錠し、錠機構２に付属したＩＣチップ４を搭載したキー５を抜き、このキー５を保有して前記施設内に入り、所要を済ませて施設から出る場合に、傘立３に傘１を置いたことを忘れてＩＣチップ４を搭載したキー５を保有した状態でゲート６を通過するときに、ＩＣチップ４とアンテナ１１との無線通信を行い、無線通信の情報結果に基づき通過した人がＩＣチップ４を搭載したキー５を保有していた場合、警告部７に設けられた制御部１５が音声を発生させる音声発生回路８を制御して音声発生回路８からの信号で音声発生部９に所定のメッセージ、例えば「傘をお忘れです」等のメッセージを発声させるために、ゲート６を通過中の人が傘１を忘れたことに気づき、傘立３に傘１を取りに行くと、ＩＣチップ４を搭載したキー５に相対した錠機構２の傘１の置き場所を表示する表示部１０が点灯あるいは点滅して、錠機構２の位置表示をし、傘１を忘れた人が傘立３に置いた自分の傘１の置き場所を容易に見つけられて持参した傘１を持ち帰りＩＣチップ４を搭載したキー５は錠機構２の所定の位置に戻される。
【手続補正１０】
【補正対象書類名】明細書
【補正対象項目名】００１５
【補正方法】変更
【補正の内容】
【００１５】  ＩＣチップ４を搭載したキー５はＩＣチップ４に錠機構２の位置情報を記録したものであり、ＩＣチップ４は、電源内蔵型のものでもよいが、ここではゲート６に設けられたアンテナ１１が放射する電波から電源エネルギを抽出するパッシブ型のものを使用する。
【手続補正１１】
【補正対象書類名】明細書
【補正対象項目名】００１９
【補正方法】変更
【補正の内容】
【００１９】  警告部７は、コンピュータで構成され、ＩＣチップ４とゲート６に設けられたアンテナ１１との間の無線通信を行う送受信部１３と、無線通信で得た情報の照合を行うデータ処理部１４と、送受信部１３に無線通信の開始を指示し、データ処理部１４の照合結果から通報が必要な場合、音声を発生させる音声発生回路８を作動させて、信号を音声発生部９に送信して、所定のメッセージ、例えば「傘をお忘れです」と通報させると共に傘立３の錠機構２に設けられた表示部１０を点灯あるいは点滅させるように制御する制御部１５とからなる。
【手続補正１２】
【補正対象書類名】明細書
【補正対象項目名】００２５
【補正方法】変更
【補正の内容】
【００２５】  また、制御部１５は、通過中の人体１６がＩＣチップ４を搭載したキー５を保有と警告部７のデータ処理部１４が判断した場合には、傘立３の錠機構２に設けた表示部１０のＬＥＤを点滅させる。なお、表示部１０はＬＥＤの点滅に限らず、点灯、メッセージ表示、等、当該キー５に対応する錠機構２が他の錠機構２と識別できるものであれば如何なる態様であってもよい。
【手続補正１３】
【補正対象書類名】明細書
【補正対象項目名】００３１
【補正方法】変更
【補正の内容】
【００３１】
【図１】  本発明の一実施形態を示す傘置忘れ防止装置の構成図である。
【図２】  本発明に係る傘立ての一例を示す全体斜視図である。
【図３】  本発明に係る傘保持錠機構の一例を示す全体斜視図である。
【手続補正１４】
【補正対象書類名】明細書
【補正対象項目名】００３２
【補正方法】変更
【補正の内容】
【００３２】    １  傘、  ２  錠機構、  ３  傘立、  ４  ＩＣチップ、  ５  キー、  ６  ゲート、  ７  警告部、  ８  音声発生回路、  ９  音声発生部、  １０  表示部、  １１  アンテナ、  １２  人体センサ、  １３  送受信部、  １４  データ処理部、  １５  制御部、  １６  人体